(57)【要約】【課題】低コスト化を図りつつ、陳列スペースに応じて拡張することができる陳列ケースを提供する。【解決手段】ケース１１の周壁１２を、側板１３と底板１４と天板１５で構成し、裏面に背板１６を設ける。ケース１１に、内部を縦方向に区分する横仕切板１７と、内部を横方向に区分する縦仕切板１８を設け、ケース１１内に、陳列物を収容する収容部１９を縦横に配列する。ケース１１に、横方向に配列された収容部１９の並び方向に延在して収容部１９の開口部下部を覆う透明板４２を設け、両側の収容部１９側部の側板１３に、並設されたケース１１の対面した側板１３を固定するクリップ３１の固定領域５１を透明板４２の上部に設定する。【選択図】　　　　図１
2004073453.tif 000002
【特許請求の範囲】
【請求項１】
陳列物が配置される陳列ケースにおいて、
前面が開口した矩形容器状のケースに、内部を縦方向に区分する横方向へ延在した横仕切と、内部を横方向に区分する縦方向へ延在した縦仕切とを設け、前記陳列物を収容する収容部を縦横に配列したことを特徴とする陳列ケース。
【請求項２】
横方向に配列された前記各収容部の並び方向に延在し、並設された各収容部の開口部を部分的に覆う被覆部を設けたことを特徴とする請求項１記載の陳列ケース。
【請求項３】
前記ケースを隣接して配置した状態で、隣接するケースの対面した周壁を挟持して固定する挟持部材を備えたことを特徴とする請求項１又は２記載の陳列ケース。
【請求項４】
前記被覆部を、前記各収容部の開口部における下部を覆う部位に延設し、当該被覆部の上部に、並設されたケースの対面した周壁を挟持して固定する挟持部材の固定領域を形成したことを特徴とする請求項２記載の陳列ケース。
【請求項５】
最下段に延設された前記被覆部に、当該ケースの周壁と下部に配置されたケースの周壁とを挟持して固定する挟持部材の挿入部を設けたことを特徴とする請求項４記載の陳列ケース。
【発明の詳細な説明】
【０００１】
【発明の属する技術分野】
本発明は、例えば種などを収容した袋体を陳列する陳列ケースに関する。
【０００２】
【従来の技術】
従来、種や球根などを販売する際には、表面に種類などが印刷された長方形の袋体に収容し販売していた。
【０００３】
これらの袋体は、店頭において陳列棚に配置され陳列されており、陳列棚としては、一般的にスチール線で形成されてものが使用されている。
【０００４】
【発明が解決しようとする課題】
しかしながら、このような陳列棚にあっては、その形状が予め定められており、陳列スペースに応じた大きさの陳列棚が必要となる。
【０００５】
このため、大きさの異なる陳列棚を複数用意する必要があり、低コスト化の阻害要因となっていた。
【０００６】
本発明は、このような従来の課題に鑑みてなされたものであり、低コスト化を図りつつ、陳列スペースに応じて拡張することができる陳列ケースを提供することを目的とするものである。
【０００７】
【課題を解決するための手段】
前記課題を解決するために本発明の請求項１記載の陳列ケースにあっては、陳列物が配置される陳列ケースにおいて、前面が開口した矩形容器状のケースに、内部を縦方向に区分する横方向へ延在した横仕切と、内部を横方向に区分する縦方向へ延在した縦仕切とを設け、前記陳列物を収容する収容部を縦横に配列した。
【０００８】
すなわち、容器状のケースには、内部を区分する横仕切と縦仕切が設けられており、陳列物を収容する収容部が縦横に配列されている。これにより、陳列物は、縦横に配列された収容部に収容された状態で陳列される。
【０００９】
そして、前記陳列物の種類を増大する際には、このケースを横並びに配設する。これにより、陳列物の収容部が横方向に拡げられる。一方、横方向へのスペースが確保できない場合には、このケースを縦方向に並べて配置する。これにより、陳列物の収容部が縦方向に拡げられる。
【００１０】
また、請求項２記載の陳列ケースにおいては、横方向に配列された前記各収容部の並び方向に延在し、並設された各収容部の開口部を部分的に覆う被覆部を設けた。
【００１１】
すなわち、各収容部は、その開口部が被覆部によって部分的に覆われている。これにより、各収容部の開口部からの陳列物の取り出しを可能にしつつ、陳列物の不用意な離脱が防止される。
【００１２】
さらに、請求項３の陳列ケースでは、前記ケースを隣接して配置した状態で、隣接するケースの対面した周壁を挟持して固定する挟持部材を備えている。
【００１３】
すなわち、隣接したケースの周壁を挟持する挟持部材を備えているため、この挟持部材を用いることで、隣接する両ケースが一体化され、その連結状態が維持される。
【００１４】
また、請求項４の陳列ケースにあっては、前記被覆部を、前記各収容部の開口部における下部を覆う部位に延設し、当該被覆部の上部に、並設されたケースの対面した周壁を挟持して固定する挟持部材の固定領域を形成した。
【００１５】
すなわち、各収容部の開口部を部分的に覆う被覆部は、立て掛けた状態で陳列物が最も離脱し易い開口部の下部に設けられている。このため、開口部下部からの陳列物の不用意な離脱が防止される。一方、開口部の上部が開放されることから、陳列物の取り出し性が確保される。
【００１６】
そして、この被覆部の上部には、並設されたケースの対面した周壁を挟持して固定する挟持部材の固定領域が形成されている。このため、並設された両ケースは、前記固定領域に取り付けられる前記挟持部材によって連結され一体化される。
【００１７】
さらに、請求項５の陳列ケースにおいては、最下段に延設された前記被覆部に、当該ケースの周壁と下部に配置されたケースの周壁とを挟持して固定する挟持部材の挿入部を設けた。
【００１８】
すなわち、各収容部の開口部を部分的に覆う被覆部は、開口部の下部に設けられており、最下段の収容部における開口部においても、その下部が前記被覆部で覆われることとなる。しかし、この被覆部には、当該ケースの周壁と、下部に配置されたケースの周壁とを挟持する挟持部材の挿入部が設けられており、この挿入部へ前記挟持部材を挿入することで、両ケースが連結され一体化される。
【００１９】
【発明の実施の形態】
以下、本発明の一実施の形態を図に従って説明する。図１及び図２は、本実施の形態にかかる陳列ケース１を立て掛けた状態を示す図であり、図１には斜視図が、図２には正面図が示されている。この陳列ケース１は、野菜や草花などの種を販売する際に店頭などで用いられるものであり、種や球根等の商品を陳列するものである。
【００２０】
前記陳列ケース１は、前面が開口した矩形容器状のケース１１からなり、該ケース１１は、木で形成されている。このケース１１の周壁１２は、左右側部を形成する側板１３，１３と、下部を形成する底板１４と、上部を構成する天板１５とからなり、各板１３，１３，１４，１５の裏面には、背面を形成する背板１６が設けられている。このケース１１には、内部を縦方向に区分する二枚の横仕切板１７，１７が上下に等間隔を置いて横方向へ延設されており、当該ケース１１の内部は、縦方向に三等分されている。
【００２１】
前記天板１５と上段の横仕切板１７間、上段の横仕切板１７と下段の横仕切板１７間、及び下段の横仕切板１７と前記底板１４間のそれぞれには、上下に区画された各空間をさらに横方向に区分する四枚の縦仕切板１８，・・・が左右に等間隔を置いて縦方向へ延設されており、各空間は、横方向に六等分されている。これにより、前記ケース１１内には、陳列物を収容する収容部１９，・・・が、縦二行、横六列に配列されている。
【００２２】
各収容部１９，・・・は、縦長の長方形状に形成されており、図３に示すように、縦長の長方形状の袋体２１に種２２が収容された陳列物２３を収容できる大きさに設定される。また、各収容部１９，・・・は、前記陳列物２３を複数収容できる奥行きに設定されている。
【００２３】
この陳列ケース１は、図４に示すように、挟持部材としてのクリップ３１を備えている。該クリップ３１は、バネ鋼によって形成された挟持部３２と、該挟持部３２を開口する際に摘まれる摘み部３３，３３とによって構成されている。前記挟持部３２は、基部３４と、該基部３４の端部が折曲されてなる挟持片３５，３５とからなり、図５に示すように、複数の陳列ケース１，・・・を隣接して配置した状態で、隣接するケース１１，１１の対面した周壁１２，１２を挟持固定する際に、前記両挟持片３５，３５が対面した両周壁１２，１２を圧接するように構成されている。
【００２４】
前記摘み部３３，３３は、図４に示したように、金属線材で形成されており、その先端部は、前記挟持片３５，３５の端部に軸支されている。これにより、両摘み部３３，３３を指で挟むことで、閉鎖状態にある前記両挟持片３５，３５先端を開口する一方、軸支部分を中心に回動することによって、当該摘み部３３，３３の延出方向を、前記挟持片３５，３５の先端側へ向けられるように構成されている。
【００２５】
また、前記ケース１１には、図１及び図２に示したように、横方向に配列された前記各収容部１９，・・・の並び方向に延在し、図３にも示したように、並設された各収容部１９，・・・の開口部４１，・・・を部分的に覆う透明性を有したアクリル板からなる被覆部としての透明板４２が設けられており、各透明板４２，・・・は、左方の側板１３から右方の側板１３に渡って延設されている。この透明板４２は、左右端部が前記側板１３，１３に釘４３，・・・で固定されており、中間部が前記各縦仕切板１８，・・・に釘４３，・・・で固定されている。これにより、当該透明板４２は、前記各縦仕切板１８，・・・を前方より支持している。
【００２６】
前記各透明板４２，・・・は、各段に並設された各収容部１９，・・・の開口部４１，・・・における下部を覆う部位に設けられており、その高さは、各収容部１９，・・・の開口部４１を下から１／３覆う寸法に設定されている。これにより、両側部に設けられた収容部１９，１９側部の側板１３，１３には、前記透明板４２の上部に、並設されたケース１１，１１の対面した側板１３，１３同士を挟持して固定する前記クリップ３１の固定領域５１，・・・が設定されている。
【００２７】
そして、最下段に延設された前記透明板４２には、図２に示したように、下縁中央部に横長の切り欠き６１が形成されており、この切り欠き６１によって、当該ケース１１の底板１４と、下部に配置されたケース１１の天板１５とを挟持固定する前記クリップ３１の挟持片３５が挿入される挿入部６２が形成されている。
【００２８】
以上の構成にかかる本実施の形態において、種２２が袋体２１に収容された陳列物２３を出荷する際には、同種の種２２が収容された袋体２１を複数重ね、収容された種２２の種類が印刷された袋体２１の表面を前面にした状態で、陳列ケース１１の収容部１９へ収容する。これを種２２の種類毎に行い、種類別に各収容部１９，・・・へ収容するとともに、この作業を複数の陳列ケース１，・・・で繰り返す。
【００２９】
そして、陳列物２３，・・・が収容された陳列ケース１を、その前面が上を向くように配置して段ボールに詰めるとともに、この陳列ケース１の前面を覆うように、次の陳列ケースを順次重ねて行く。その後、段ボールの開口部を閉鎖して店舗へ出荷する。
【００３０】
この段ボールが配送された店舗では、前記陳列ケース１，・・・を順次取り出し、店頭などの陳列場所において壁面に立て掛ける等して配置する。このとき、各陳列ケース１のケース１１には、内部を区分する横仕切板１７，・・・と縦仕切板１８，・・・が設けられており、陳列物２３，・・・を収容する収容部１９，・・・が縦横に配列されている。これにより、前記陳列物２３，・・・は、縦横に配列された収容部１９，・・・に収容された状態で陳列される。
【００３１】
そして、前記陳列物２３，・・・の種類を増大する際には、図５に示したように、他の陳列ケース１を、この陳列ケース１の横に配設する。これにより、陳列物２３，・・・の収容部１９，・・・の数を横方向に増やすことができる。
【００３２】
また、前記陳列ケース１の天板１５上に他の陳列ケース１を載置することにより、各陳列ケース１，１を上下に並べて配置することができる。これにより、陳列物２３，・・・の収容部１９，・・・の数を縦方向へも増やすことができる。なお、横方向への陳列スペースを確保できない場合には、各陳列ケース１，・・・を上下のみに重ねて配置することで、これに対応することができる。
【００３３】
このように、陳列物２３，・・・の収容部１９，・・・が縦横に配列された陳列ケース１のケース１１を隣接して配置することで、陳列範囲を、陳列スペースに応じて、縦横に自由自在に拡張して展開することができる。
【００３４】
このため、形状が固定されるため、大きさの異なる陳列棚を予め複数用意しなければならなかった従来と比較して、単一の陳列ケース１を陳列箇所で組み合わせることにより、それぞれの陳列スペースに対応することができる。したがって、陳列ケース１の低コスト化を図ることができる。
【００３５】
そして、このように陳列物２３，・・・の陳列範囲を縦横へ自由に変更することができるため、陳列物２３，・・・が本実施の形態のように種２２，・・・の場合には、種２２の出荷シーズンのピークにおいて陳列範囲を拡大し、シーズンオフには陳列範囲を縮小するといったことを自由自在に行うことが可能となる。
【００３６】
また、前記各収容部１９，・・・は、その開口部４１，・・・が透明板４２によって部分的に覆われている。このため、各収容部１９，・・・の残存した開口部分からの陳列物２３，・・・の取り出しを可能にしつつ、陳列物２３，・・・の不用意な離脱を防止することができる。これにより、当該陳列ケース１を立て掛けた状態での陳列に対応することができる。また、前記透明板４２を透明性を有しているため、袋体２１表面の印刷を、阻害すること無く、表出することができる。
【００３７】
さらに、この陳列ケース１は、他の陳列ケース１を隣接して配置した状態で、隣接したケース１１の対面した周壁１２を挟持して固定するクリップ３１を備えている。このため、このクリップ３１を用いることで、隣接する両ケース１１，１１を一体化することができるとともに、その連結状態を維持することができる。
【００３８】
これにより、互いに連結された複数の陳列ケース１，・・・を、一つの陳列ケースとして取り扱うことができる。また、複数の陳列ケース１を縦方向に連結した場合、これを斜めにして壁面に立て掛ける等の陳列形態を形成することができる。
【００３９】
また、前記各収容部１９，・・・の開口部４１，・・・を部分的に覆う透明板４２，・・・は、立て掛けた状態で陳列物２３が最も離脱し易い開口部４１，・・・の下部に設けられている。このため、開口部４１，・・・下部からの陳列物２３，・・・の不用意な離脱を確実に防止することができる。一方、開口部４１の上部が開放されることとなるため、取り出し部分が下部に設けられる場合と比較して、陳列物２３，・・・の取り出し性を高めることができる。
【００４０】
そして、この透明板４２，・・・の上部には、並設されたケース１１，１１の対面した側板１３，１３を挟持して固定するクリップ３１の固定領域５１が形成されており、並設された両ケース１１，１１を、この固定領域５１，５１に取り付けられたクリップ３１で連結して一体化することができる。よって、開口部４１を覆う透明板４２がケース１１の側部に設けられた場合と比較して、並設されたケース１１，１１同士の前記クリップ３１による連結が可能となる。
【００４１】
さらに、各収容部１９，・・・の開口部４１，・・・を部分的に覆う前記透明板４２は、開口部４１，・・・の下部に設けられており、最下段に配列された収容部１９，・・・における開口部４１，・・・は、その下部が前記透明板４２で覆われている。しかし、この透明板４２には、当該ケース１１の底板１４と、下部に配置された陳列ケース１のケース１１の天板１５とを挟持する前記クリップ３１の挿入部６２が設けられており、この挿入部６２へ前記クリップ３１の挟持片３５を挿入することで、図５に示したように、上下のケース１１，１１を連結して一体化することができる。
【００４２】
したがって、陳列物２３，・・・の離脱防止効果を維持しつつ、上下のケース１１，１１を一体化することができる。
【００４３】
なお、一体化された複数の陳列ケース１，・・・は、壁面に立て掛けることで簡単に陳列することができるとともに、店舗の都合によりユニット式のホジを用いて並べることもできる。
【００４４】
【発明の効果】
以上説明したように、本発明の請求項１記載の陳列ケースにあっては、陳列物の収容部が縦横に配列されたケースを隣接して配置することで、陳列範囲を、陳列スペースに応じて、縦横に自由自在に拡張して展開することができる。
【００４５】
このため、形状が固定されるため、大きさの異なる陳列棚を予め複数用意する必要があった従来と比較して、単一の陳列ケースを組み合わせることによって、それぞれの陳列スペースに対応して展開することができる。したがって、陳列ケースの低コスト化を図ることができる。
【００４６】
そして、このように陳列物の陳列範囲を縦横へ自由に変更することができるので、陳列物が種の場合には、種の出荷シーズンのピークには、陳列範囲を拡大し、シーズンオフには陳列範囲を縮小するといったことを、自由自在に行うことができる。
【００４７】
また、請求項２記載の陳列ケースにおいては、各収容部の開口部を被覆部によって部分的に覆うことで、各収容部の残存した開口部からの陳列物の取り出しを可能にしつつ、陳列物の不用意な離脱を防止することができる。これにより、当該陳列ケースを立て掛けた状態でも陳列することができる。
【００４８】
さらに、請求項３の陳列ケースでは、隣接したケースの周壁を挟持する挟持部材を備えているので、この挟持部材を用いることで、隣接するケースを一体化することができるとともに、その連結状態を維持することができる。
【００４９】
これにより、互いに連結された複数の陳列ケースを、一つの陳列ケースとして取り扱うことができる。また、複数の陳列ケースを縦方向に連結した場合、これを斜めにして壁面に立て掛ける等の陳列形態を形成することができる。
【００５０】
また、請求項４の陳列ケースにあっては、各収容部の開口部を部分的に覆う被覆部は、立て掛けた際に陳列物が最も離脱し易い開口部の下部に設けられている。このため、開口部下部からの陳列物の不用意な離脱を確実に防止することができる。また、開口部の上部が開放されるので、取り出し部分が下部に設けられる場合と比較して、陳列物の取り出し性を高めることができる。
【００５１】
そして、この被覆部の上部には、並設されたケースの対面した周壁を挟持して固定する挟持部材の固定領域が形成されており、並設された両ケースを、この固定領域に取り付けられた挟持部材で連結して一体化することができる。よって、開口部を覆う被覆部がケースの側部に設けられた場合と比較して、並設されたケース同士の前記挟持部材による連結が可能となる。
【００５２】
さらに、請求項５の陳列ケースにおいて、各収容部の開口部を部分的に覆う被覆部は、開口部の下部に設けられており、最下段の収容部における開口部は、その下部が前記被覆部で覆われることとなる。しかし、この被覆部には、当該ケースの周壁と、下部に配置されたケースの周壁とを挟持する挟持部材の挿入部が設けられており、この挿入部へ前記挟持部材を挿入することで、両ケースを連結して一体化することができる。
【００５３】
したがって、陳列物の離脱防止効果を維持しつつ、上下のケースを一体化することができる。
【図面の簡単な説明】
【図１】本発明の一実施の形態を示す斜視図である。
【図２】同実施の形態の正面図である。
【図３】図２のＡ−Ａ線に相当する断面図である。
【図４】同実施の形態にかかるクリップを示す斜視図である。
【図５】同実施の形態の利用形態を示す図である。
【符号の説明】
１　　陳列ケース
１１　　ケース
１２　　周壁
１７　　横仕切板
１８　　縦仕切板
１９　　収容部
２３　　陳列物
３１　　クリップ（挟持部材）
４１　　開口部
４２　　透明板（被覆部）
５１　　固定領域
６２　　挿入部
【図１】
2004073453.tif 000003
【図２】
2004073453.tif 000004
【図３】
2004073453.tif 000005
【図４】
2004073453.tif 000006
【図５】
2004073453.tif 000007